(57)【特許請求の範囲】
【請求項１】
皿本体を内包する一部が開口した袋状の第一層シート袋と、皿本体を第一層シート袋の上から内包する一部が開口した袋状の第二層シート袋と、を少なくとも有し、
前記皿本体の表面側の前記第一層シート袋及び第二層シート袋が引き剥がし可能に吸着していることを特徴とする再使用皿。
【請求項２】
皿本体と、
表第一層シート及び裏第一層シートにより第一層シート袋を形成すると共にこの第一層シート袋により前記皿本体を内包し、表第二層シート及び裏第二層シートにより第二層シート袋を形成すると共にこの第二層シート袋により皿本体を前記第一層シート袋の上から内包し、前記表第一層シートと表第二層シートとは引き剥がし可能に吸着しているシート袋層と、
を有することを特徴とする再使用皿。
【請求項３】
皿本体を内包するため一部が開口した袋状の第一層シート袋と、当該第一層シート袋を内包する一部が開口した袋状の第二層シート袋と、を少なくとも有し、
前記一面側の前記第一層シート袋及び第二層シート袋が引き剥がし可能に吸着していることを特徴とする皿用シート。
【発明の詳細な説明】
【技術分野】
【０００１】
本発明は、災害地等において水で洗浄することなく複数回再使用できる再使用皿および皿用シートに関するものである。
【背景技術】
【０００２】
従来から特許文献１に開示の使い捨て皿が知られている。この使い捨て皿は、皿本体の表面に複数層の表面シートを積層し、皿の周囲に各層の表面シートの摘み代部を設けた構成である。皿本体は紙製であり、表面シートは塩化ビニル樹脂等の透明な樹脂フィルムからなる。各表面シートは寒天又はゼラチンにより接着されている。
【０００３】
この使い捨て皿は、最上層の表面シートの上に食品等を載せて使用した後、この表面シートを前記摘み代部を持って引き剥がし、次の層の表面シートを皿本体の表面に現す。これにより、綺麗な状態で使い捨て皿を使用できる。
【先行技術文献】
【特許文献】
【０００４】
【特許文献１】特開２００６−２３９１７８号公報
【発明の概要】
【発明が解決しようとする課題】
【０００５】
しかしながら、上記従来の使い捨て皿では、表面シートの上の残飯を処置してから当該表面シートを引き剥がす必要があるため、二度手間になるという問題点があった。また、汚れた表面シートの取り扱いが面倒であるという問題点があった。そこで、この発明は、残飯が皿に残っていても簡単に処置でき且つ引き剥がした際のシートの取り扱いが容易な再使用皿を提供することを目的とする。
【課題を解決するための手段】
【０００６】
そこで、本発明の再使用皿は、皿本体を内包する一部が開口した袋状の第一層シート袋と、皿本体を第一層シート袋の上から内包する一部が開口した袋状の第二層シート袋と、を少なくとも有し、前記皿本体の表面側の前記第一層シート袋及び第二層シート袋が引き剥がし可能に吸着していることを特徴とする。
【０００７】
また、本発明の再使用皿は、皿本体と、表第一層シート及び裏第一層シートにより第一層シート袋を形成すると共にこの第一層シート袋により前記皿本体を内包し、表第二層シート及び裏第二層シートにより第二層シート袋を形成すると共にこの第二層シート袋により皿本体を前記第一層シート袋の上から内包し、前記表第一層シートと表第二層シートとは引き剥がし可能に吸着しているシート袋層とを有することを特徴とする。
【０００８】
また、本発明の再使用皿は、上記発明において、前記表第一層シート袋及び表第二層シート袋の少なくとも一方は吸着性の高いシートから構成され、裏第一層シート袋及び裏第二層シート袋は、前記シートより吸着性が低いシートから構成されていることを特徴とする。
【０００９】
また、本発明の再使用皿は、上記発明において、前記表第一層シート袋又は表第二層シート袋は、微細な吸盤状の凹凸を多数形成したポリエチレンのラップ材からなることを特徴とする。
【００１０】
また、本発明の皿用シートは、皿本体を内包するため一部が開口した袋状の第一層シート袋と、当該第一層シート袋を内包する一部が開口した袋状の第二層シート袋と、を少なくとも有し、前記一面側の前記第一層シート袋及び第二層シート袋が引き剥がし可能に吸着していることを特徴とする。
【図面の簡単な説明】
【００１１】
【図１】この発明の実施の形態に係る再使用皿を示す平面図である。
【図２】図１に示した再使用皿を示す構成図である。
【図３】図１に示した再使用皿の分解図である。
【図４】再使用皿の使用方法を示す説明図である。
【図５】再使用皿の使用方法を示す説明図である。
【発明を実施するための形態】
【００１２】
図１は、この発明の実施の形態に係る再使用皿を示す平面図である。図２は、図１に示した再使用皿を示す構成図である。図３は、図１に示した再使用皿の分解図である。この再使用皿１００は、紙製の皿本体１と、皿本体１を内包するように設けた袋状のシート袋２とからなる。シート袋２は、第一層シート袋２１、第二層シート袋２２及び第三層シート袋２３で構成される。なお、この実施の形態では説明の便宜のためシート袋２の層数を３層としたが、当該層数はこれに限定されない。
【００１３】
皿本体１の表面は、パラフィン加工等により耐水性、耐油性加工がされている。また、皿本体１の表面には様々な模様等が印刷されている（図示省略）。なお、当該皿本体１の形状は円形のみならず、図３に示したような四角形でも良い。
【００１４】
第一層シート袋２１は、表第一層シート３１及び裏第一層シート３２の周囲の連続した三辺を熱圧着（熱圧着部４１）することで一辺が開口した袋状に形成されている。裏第一層シート３２には、開口側の辺を表第一層シート３１より長くした摘み代３３が形成されている。表第一層シート３１は、吸着性の高いシート素材により構成する。表第一層シート３１としては、表面に微細な吸盤状の凹凸を多数形成したポリエチレンのラップ材を用いる。例えば、ザ・グラッド・プロダクツ・カンパニー製の「ＰＲＥＳＳ‘Ｎ
ＳＥＡＬ」（ザ・グラッド・プロダクツ・カンパニー  登録商標）を用いるのが好ましい。このラップ材は、皿本体１等の平滑面に押し付けることで高い吸着力を得る。また、吸着状態から簡単に引き剥がすことができる。
【００１５】
裏第一層シート３２は、表第一層シート３１より吸着性が低いシート材により構成する。例えば、塩化ビニル樹脂、耐水性の紙や布等である。また、裏第一層シート３２は、表第一層シート３１と同じ材料であるが、その表面処理を変えて吸着性が表第一層シート３１よりも劣るようにしても良い。
【００１６】
表第二層シート３４及び裏第二層シート３５も、上記同様、周囲の連続した三辺を熱圧着（熱圧着部４２）することで一辺が開口した袋状に形成される。また、第二層シート袋２２を皿本体１に被せることで前記第一層シート袋２１ごと皿本体１を第二層シート袋２２に内包させる。この状態で表第二層シート３４と表第一層シート３１とは、互いに吸着性の高いシートからなるため、対向面同士が強く吸着する。一方、裏第一層シート３２及び裏第二層シート３５は、吸着性が低いシートからなるため、対向面同士が吸着せず離れたままである。裏第二層シート３５には、開口側の辺を裏第一層シート３２より長くした摘み代３６が形成されている。
【００１７】
表第三層シート３７及び裏第三層シート３８も、上記同様、周囲の連続した三辺を熱圧着（熱圧着部４３）ることで一辺が開口した袋状に形成される。また、第三層シート袋２３を皿本体１に被せることで前記第一層シート２１及び第二層シート２２ごと皿本体１を第三層シート袋２３に内包させる。この状態で表第三層シート３７と表第二層シート３４とは、互いに吸着性の高いシートからなるため、対向面同士が強く吸着する。一方、裏第二層シート３５及び裏第三層シート３８は、吸着性が低いシートからなるため、対向面同士が吸着せず離れたままである。裏第三層シート３８には、開口側の辺を裏第二層シート３５より長くした摘み代３９が形成されている。
【００１８】
このように、再使用皿１００では、第一層シート袋２１から第三層シート袋２３までが皿本体１の表裏面に積層され、且つ、表第一層シート３１から表第三層シート３７までが引き剥がし可能な状態で互いに積層吸着しており、裏第一層シート３２から裏第三層シート３８までは互いに吸着しない状態で積層されている。
【００１９】
図４及び図５は、再使用皿の使用方法を示す説明図である。最初の使用にあたってユーザは、図４（ａ）に示すように、最上位面である第三層シート袋２３のシート面に食品を載せる。表第三層シート３７は、表第二層シート３４及び表第一層シート３１を介して皿本体１の表面に吸着しているので、再使用皿１００に載せた食品がシートごと滑ることがない。使用後は、皿本体１の上に残飯等Ｓが残る。ユーザは、図４（ｂ）に示すように、第三層シート袋２３の摘み代３９を裏返すように引っ張る。裏第三層シート３８と裏第二層シート３５とは吸着していないので、摘み代３９を引っ張ることで簡単に裏第三層シート３８と裏第二層シート３５とを分離してひっくり返すことができる。
【００２０】
そして、裏第三層シート３８を裏返すように引っ張ると共に表第三層シート３７を裏返すように引っ張り表第二層シート３４から引き剥がす。これにより、図５（ａ）に示すように、第三層シート袋２３の全体が裏返しになり、残飯等Ｓの残った面が内側になる。ユーザは、第三層シート袋２３を完全に皿本体１から引き離した後、第三層シート袋２３の袋上部を縛ることで内部の残飯等Ｓを封入する。
【００２１】
第三層シート袋２３を引き剥がした後は、図５（ｂ）に示すように、第二層シート袋２２が最上位面に現れる。第二層シート袋２２についても第三層シート袋２３と同様、使用後に摘み代３６を持って裏第二層シート３５を裏返すように引っ張ると共に表第二層シート３４を裏返すように表第一層シート３１から引き剥がし、第二層シート袋２３の全体を裏返しにする。これにより、第二層シート袋２２の全体が裏返しになり、残飯等の残った面が内側になる。第二層シート袋２２を完全に皿本体１から引き離すと、今度は、第一層シート袋２１が最上位面に現れる。
【００２２】
同様に、第一層シート袋２１を使用した後、摘み代３３を持って裏第一層シート３２を裏返すように引っ張る。裏第一層シート３２は皿本体１の裏面１ｂに吸着していないので、簡単に引き離すことができる。また、当該裏第一層シート３２を裏返すように引っ張ると共に表第一層シート３１を皿本体１の表面１ａから引き剥がすように裏返す。これにより、第一層シート袋２１の全体が裏返しになり、残飯等の残った面が内側になる。第一層シート袋２１を完全に皿本体１から引き離した後は、皿本体１をそのまま使用する。
【００２３】
以上、この発明の再使用皿１００によれば、シート袋２をめくって裏返すように剥がすことで汚れた面を内側にして一度に処理できる。即ち、残飯等Ｓを皿本体１の表面側から取り除くと共に残飯等Ｓをシート袋２に封入処置できる。このため、再使用する際の手間がかからない。また、シート袋２の表面は吸着性の高いシート材からなり、裏面は吸着性が低いシート材からなるため、シート袋２をめくり易い。更に、シート袋２の開口部を縛ることで内部の汚れが外に出ないので扱いやすく且つ臭いも防止できる。また、皿として使用しない場合でも、シート袋２をめくって剥がせば袋になるので便利である。
【００２４】
なお、表第一層シート３１及び表第二層シート３４、表第二層シート３４及び表第三層シート３７を寒天又はゼラチンを接着層により引き剥がし可能に仮接合しても良い。この場合、表第一層シート３１及び裏第一層シート３２、表第二層シート３４及び裏第二層シート３５、表第三層シート３７及び裏第三層シート３８は同じシート材により構成できる。また、開口方向を一方向に統一したが、第一層シート袋２１〜第三層シート袋の開口方向を異なる方向としても良い。
【００２５】
また、この発明は皿用シートとして観念できる。上記皿本体１は市販の皿を用い、この皿をシート袋２に内包して使用するようにしても良い。
【符号の説明】
【００２６】
１００  再使用皿
１  皿本体
２  シート袋
２１  第一層シート袋
２２  第二層シート袋
２３  第三層シート袋
３１  表第一層シート
３２  裏第一層シート
３３  摘み代
３４  表第二層シート
３５  裏第二層シート
３６  摘み代
３７  表第三層シート
３８  裏第三層シート
３９  摘み代
【図１】
0005379214.tif 000002
【図２】
0005379214.tif 000003
【図３】
0005379214.tif 000004
【図４】
0005379214.tif 000005
【図５】
0005379214.tif 000006